(57)【要約】【課題】所定の高濃度の水素水生成機能が備えられた冷温水素水器の高濃度水素水生成装置を提供する。【解決手段】水ボトルから冷温水素水器の水槽に流入した水槽水に高濃度の水素を供給する高濃度水素水生成装置１０であって、冷温水素水器の一部分に設置され、水槽に連結されて水槽内の水槽水に所定の高濃度の水素を供給する水素水供給ユニット１００と、水素水供給ユニットと水槽とを連結して、水素水供給ユニットで生成された水素を水槽の水槽水に供給する通路を提供する連結配管２００と、冷温水素水器の一部分に設置され、水素水供給ユニットに連結されて水素水供給ユニットの作動を制御するコントローラとを含み、連結配管は、水素水を貯留する水槽の水素水の濃度を所定の高濃度に維持するために、水素水供給ユニットと水槽との連結方式を二重循環構造で製作して圧力差を利用して水素水を循環させることを特徴とする。【選択図】図１
2020500095.tif 000002
【特許請求の範囲】
【請求項１】
水ボトルから冷温水素水器の水槽に流入した水槽水に高濃度の水素を供給する高濃度水素水生成装置であって、
前記冷温水素水器の一部分に設置され、前記水槽に連結されて前記水槽内の水槽水に所定の高濃度の水素を供給する水素水供給ユニットと、
前記水素水供給ユニットと前記水槽とを連結して、前記水素水供給ユニットで生成された水素を前記水槽の水槽水に供給する通路を提供する連結配管と、
前記冷温水素水器の一部分に設置され、前記水素水供給ユニットに連結されて前記水素水供給ユニットの作動を制御するコントローラとを含み、
前記連結配管は、
水素水を貯留する前記水槽の水素水の濃度を所定の高濃度に維持するために、前記水素水供給ユニットと前記水槽との連結方式を二重循環構造で製作して圧力差を利用して水素水を循環させることを特徴とする、冷温水素水器の高濃度水素水生成装置。
【請求項２】
前記水素水供給ユニットは、
前記連結配管を介して前記水槽に連結され、前記水槽から供給される水を電気分解して水素を生成させる水素生成器と、
前記連結配管を介して前記水素生成器と前記水槽に連結され、前記水素生成器で生成された水素が添加された水素水を前記水槽に循環させる循環ポンプと、
前記水素生成器と前記水槽との間に介在した状態でそれぞれ前記連結配管を介して連結され、加圧によって、前記循環ポンプを介して循環する水素水に所定の高濃度の水素を溶解させる高濃度フィルターとを含むことを特徴とする、請求項１に記載の冷温水素水器の高濃度水素水生成装置。
【請求項３】
前記高濃度フィルターは、
前記連結配管より管の直径を小さく長さを長くして前記連結配管に連結され、管の直径及び管の長さの差により、前記循環ポンプによる循環によって流れる水素水に圧力が加えられ、所定の高濃度の水素ガスを水に溶解させる水素水配管を含むことを特徴とする、請求項２に記載の冷温水素水器の高濃度水素水生成装置。
【請求項４】
前記連結配管は、
前記水素生成器から前記水槽に引き込まれる部分を二重に製作して、前記高濃度フィルターにより前記循環ポンプに加えられる圧力を減衰させながら、前記水槽に流入する水素水を所定の水量に維持させることを特徴とする、請求項２に記載の冷温水素水器の高濃度水素水生成装置。
【請求項５】
前記連結配管は、
前記水素生成器と前記水槽に連結され、前記水素生成器で生成された水素水を前記水槽に移動させるための通路を提供する第１連結配管と、
前記高濃度フィルターを前記水素生成器と前記水槽との間に介在した状態で連結させ、加圧によって水素を配管内で所定の高濃度で溶解させた水素水を前記水槽に移動させるための第２連結配管とを含むことを特徴とする、請求項２に記載の冷温水素水器の高濃度水素水生成装置。
【発明の詳細な説明】
【技術分野】
【０００１】
本発明は、冷温水素水器の収容される水に高濃度の水素を供給するもので、さらに詳しくは、冷温水素水器の水素濃度を高濃度化させる、冷温水素水器の高濃度水素水生成装置に関する。
【背景技術】
【０００２】
生活の質を高めようとする関心が増加し、病気の予防やアンチエイジングに関する研究開発が継続的に行われており、特に、強力な還元力を保有している水素を活用して生活習慣病の改善及び代謝に役立てるための研究開発が盛んに行われている。
【０００３】
実生活と関連して、水素は、無色・無臭・無味のガスで、強力な還元力を保有している元素であるため、生活習慣病などの現代の病気の根源物質として知られている体内の活性酸素を除去する目的で広く活用されている。例えば、水素を高温、高圧のプラズマ状態でカルシウムなどのミネラルに吸蔵させた粉末製品、マグネシウムなどの金属と水との化学反応を用いて水素を生成する製品、溶存水素濃度を極大化させて製造された高濃度の水素水飲料などの多様な形態の製品として発売されており、最近では、日本と韓国で水素水浄水器と水素水製造器が多数登場し始めている。
【０００４】
水素の還元力を人体の健康と関連して適用した上記の商品と技術は、殆ど、水中に溶けた溶存水素濃度を製品に正確に表記しないため、溶存水素が含まれているか否かが不明な事例が多く、価格も非常に高価である。よって、大衆の利便性及び実効性に基づいた合理的かつ優れた製品を見付けることは容易でない。
【０００５】
一般的に多く知られているアルカリイオン水器は、水の電気分解を介して酸性水とアルカリ水を生成するが、電気分解の際に、生成された溶存水素の還元作用を活用するためにアルカリイオン水を使用する場合に酸性水がそのまま捨てられるという問題点があり、低い水素濃度により水素還元水としての効果を極大化し難く、飲用のためのアルカリ水のｐＨが９〜１０程度とあまり高いため、胃腸などに異常がある場合や過敏性疾患がある場合には使用することができず、強いｐＨにより医療機器として分類されるので、製造と販売にも制約を受ける。
【０００６】
一方、酸化還元電位（ＯＲＰ）が負の電位に位置し、溶存水素を多量で含有した水素還元水が強力な還元作用によって癌などの様々な病気に効果があるという研究発表が多くなることにより、水素還元水または中性水素水を作り出す製品が登場しているが、これは生体の新陳代謝過程で発生する活性酸素を除去する活性水素水が含まれているためであり、活性水素は人体内で有害な活性酸素と結合して安全な水として排出する作用をするので、細胞の酸化を防止し、生活習慣病などの各種の難病の治療及び老化の予防に役立てることが知られている。
【０００７】
正常な生活をしている場合、ほとんどの活性酸素は、細胞活動過程で生成される水素イオンによって水に還元されるが、ストレス、無理な運動、飲酒、喫煙、汚染環境への露出、自然老化などによって、人体で処理可能な能力よりも多くの過剰な活性酸素が発生して人体に悪影響を与えるおそれがあって、活性酸素が過剰に発生しないようにすることが重要である。
【０００８】
このように、健康のために水素還元水の強力な還元力を提供する多様な製品が登場し始めているが、還元効果の極大化のために溶存水素の濃度を高めるための特殊な装置を付加するか或いは連続的に使用できるようにしながらも設備容量を大型化する場合、設備が大型化され且つ製造コストが上昇するという問題点があるので、合理的な水素水生成モジュールの開発と制御ユニットの改善によって高濃度の水素還元水を用途に合わせて提供することができる水素水生成器が求められる。
【先行技術文献】
【特許文献】
【０００９】
【特許文献１】韓国公開特許第１０−２０１６−００６２６７４号公報
【発明の概要】
【発明が解決しようとする課題】
【００１０】
本発明は、かかる従来技術の問題点を改善するためになされたもので、その目的は、所定の高濃度の水素水生成機能が備えられた冷温水素水器の高濃度水素水生成装置を提供することにある。
【課題を解決するための手段】
【００１１】
上記目的を達成するための本発明に係る冷温水素水器の高濃度水素水生成装置は、水ボトルから冷温水素水器の水槽に流入した水槽水に高濃度の水素を供給する高濃度水素水生成装置であって、前記冷温水素水器の一部分に設置され、前記水槽に連結されて前記水槽内の水槽水に所定の高濃度の水素を供給する水素水供給ユニットと、前記水素水供給ユニットと前記水槽とを連結して、前記水素水供給ユニットで生成された水素を前記水槽の水槽水に供給する通路を提供する連結配管と、前記冷温水素水器の一部分に設置され、前記水素水供給ユニットに連結されて前記水素水供給ユニットの作動を制御するコントローラとを含み、前記連結配管は、水素水を貯留する前記水槽の水素水の濃度を所定の高濃度に維持するために、前記水素水供給ユニットと前記水槽との連結方式を二重循環構造で製作して圧力差を利用して水素水を循環させることができる。
【００１２】
また、前記水素水供給ユニットは、前記連結配管を介して前記水槽に連結され、前記水槽から供給される水を電気分解して水素を生成させる水素生成器と、前記連結配管を介して前記水素生成器と前記水槽に連結され、前記水素生成器で生成された水素が添加された水素水を前記水槽に循環させる循環ポンプと、前記水素生成器と前記水槽との間に介在した状態でそれぞれ前記連結配管を介して連結され、加圧によって、前記循環ポンプを介して循環する水素水に所定の高濃度の水素を溶解させる高濃度フィルターとを含むことができる。
【００１３】
また、前記高濃度フィルターは、前記連結配管より管の直径を小さく長さを長くして前記連結配管に連結され、管の直径及び管の長さの差により、前記循環ポンプによる循環によって流れる水素水に圧力が加えられ、所定の高濃度の水素ガスを水に溶解させる水素水配管を含むことができる。
【００１４】
また、前記連結配管は、前記水素生成器から前記水槽に引き込まれる部分を二重に製作して、前記高濃度フィルターにより前記循環ポンプに加えられる圧力を減衰させながら、前記水槽に流入する水素水を所定の水量に維持させることができる。
【００１５】
また、前記連結配管は、前記水素生成器と前記水槽に連結され、前記水素生成器で生成された水素水を前記水槽に移動させるための通路を提供する第１連結配管と、前記高濃度フィルターを前記水素生成器と前記水槽との間に介在した状態で連結させ、加圧によって水素を配管内で所定の高濃度で溶解させた水素水を前記水槽に移動させるための第２連結配管とを含むことができる。
【発明の効果】
【００１６】
本発明に係る冷温水素水器の高濃度水素水生成装置は、高濃度の水素水を製造するために、水素生成器で生成された水素を循環ポンプと高濃度フィルターを用いて、水槽に連結された連結配管を介して水槽水を循環させながら、所定の濃度の水素を水に溶解させて高濃度の水素水を生成することが可能である。
【図面の簡単な説明】
【００１７】
【図１】本発明の実施形態に係る冷温水素水器の高濃度水素水生成装置の斜視図である。
【図２】前記高濃度水素水生成装置の構成を示す図である。
【図３】前記高濃度フィルターの斜視図である。
【図４】前記高濃度水素水生成装置の作用ブロック図である。
【発明を実施するための形態】
【００１８】
後述する本発明についての詳細な説明は、本発明の特定の実施形態を例示として図示する添付図面を参照する。これらの実施形態は、当業者が本発明を十分に実施し得るように詳細に説明される。本発明の多様な実施形態は、互いに異なるが、相互排他的である必要はないことを理解しなければならない。例えば、ここに記載している特定の形状、構造及び特性は、実施形態と関連して、本発明の技術的思想及び範囲を逸脱することなく他の実施形態に実現できる。また、それぞれの開示された実施形態内の個別構成要素の位置又は配置は、本発明の技術的思想及び範囲を逸脱することなく変更可能であることを理解しなければならない。従って、後述する詳細な説明は、限定的な意味を有するものではなく、本発明の範囲は、それらの請求の範囲が主張するものと均等な全ての範囲と共に、添付された請求の範囲によってのみ限定される。図面において類似する参照符号は、多くの側面にわたって同一又は類似する機能を示す。
【００１９】
以下、本発明の属する技術分野における通常の知識を有する者が本発明を容易に実施できるようにするために、本発明の好適な実施形態について添付図面を参照して詳細に説明する。
【００２０】
図１は本発明の実施形態に係る冷温水素水器の高濃度水素水生成装置の斜視図、図２は前記高濃度水素水生成装置の構成を示す図、図３は前記高濃度フィルターの斜視図、図４は前記高濃度水素水生成装置の作用ブロック図である。
【００２１】
図１〜図４に示すように、本発明は、水ボトルから冷温水素水器の水槽に流入した水槽水に高濃度の水素を供給する高濃度水素水生成装置であって、水素水供給ユニット１００、連結配管２００及びコントローラ３００を含むことができる。
【００２２】
前記水素水供給ユニット１００は、冷温水素水器の一部分に設置され、水槽５０に連結されて水槽５０内の水槽水に所定の高濃度の水素を供給することができる。
【００２３】
水素水供給ユニット１００は、水素生成器１１０、循環ポンプ１２０及び高濃度フィルター１３０を含むことができる。
【００２４】
前記水素生成器１１０は、連結配管２００を介して水槽５０に連結され、水槽５０から供給される水を電気分解して水素を生成させることができる。
【００２５】
前記循環ポンプ１２０は、連結配管２００を介して水素生成器１１０と水槽５０に連結され、水素生成器１１０で生成された水素が添加された水素水を水槽５０に循環させることができる。
【００２６】
前記高濃度フィルター１３０は、水素生成器１１０と水槽５０との間に介在した状態でそれぞれ連結配管２００を介して連結され、循環ポンプ１２０によって循環する水素水に所定の高濃度の水素を溶解させることができる。
【００２７】
高濃度フィルター１３０は水素水配管１３２を含むことができる。
【００２８】
前記水素水配管１３２は、連結配管２００よりも管の直径を小さく長さを長くして連結配管と連結され、管の直径及び管の長さの差により、循環ポンプ１２０による循環によって流れる水素水に直径の差による圧力が加えられて所定の高濃度の水素ガスを水に溶解させることができる。
【００２９】
つまり、高濃度フィルター１３０の構造は、水素水配管１３２が内径４ｍｍのフィッティングラインから内径２ｍｍのフィッティングラインに急激に変化し、循環ポンプ１２０による循環によって水素水配管１３２内に流れる水素水に圧力が加えられて水素ガスが水にもう少し溶けるようにする。
【００３０】
具体的には、水素を貯留する水槽５０の水素水の濃度を所定の濃度以上の高濃度に維持するために水槽５０の水素水を周期的に水素水供給ユニット１００に循環させて水素を生成させることで、水素水の高濃度を維持させることができる。
【００３１】
前記連結配管２００は、水素水供給ユニット１００と水槽５０とを連結して、水素水供給ユニット１００で生成された水素を水槽５０の水槽水に供給する通路を提供することができる。
【００３２】
連結配管２００は、水素水を貯留する水槽５０の水素水の濃度を所定の濃度に維持するために、水素水供給ユニット１００と水槽５０との連結方式を二重循環構造で製作して水素水を圧力差によって高濃度で循環させることが可能である。
【００３３】
連結配管２００は、水素生成器１１０から水槽５０に引き込まれる部分を二重に製作して、高濃度フィルター１３０によって循環ポンプ１２０に加えられる負荷を減らしながら、水槽５０に流入する水素水を所定の水量に維持させることができる。
【００３４】
連結配管２００は第１連結配管２１０と第２連結配管２２０を含むことができる。
【００３５】
前記第１連結配管２１０は、水素生成器１１０と水槽５０に連結され、水素生成器１１０で生成された水素水を水槽５０に移動させるための通路を提供することができる。
【００３６】
前記第２連結配管２２０は、高濃度フィルター１３０を水素生成器１１０と水槽５０との間に介在した状態で連結させ、加圧によって水素を配管内で所定の高濃度に溶解させながら水素水を水槽５０に移動させるための通路を提供することができる。
【００３７】
つまり、連結配管２００を二重循環構造で製作して、第１連結配管２１０は、水槽５０に直接連結され、水素生成器１１０で生成された水素水を直接水槽に送り、第２連結配管２２０は、高濃度フィルター１３０を経て水素水が通過するのに圧力が作用するようにして、水にさらに多くの量の水素を溶解させることができる。
【００３８】
前記コントローラ３００は、冷温水器の一部分に設置され、水素水供給ユニット１００に連結されて水素水供給ユニット１００の作動を制御することができる。
【００３９】
また、コントローラ３００に連結されるディスプレイを冷温水器の外部の一部分に設置して、水槽５０に収容された水槽水における水素の濃度、または水素生成器１１０で生成される水素の数値などを外部に表示して知らせることができる。
【００４０】
本発明に係る冷温水素水器の高濃度水素水生成装置の作動方法は、コントローラ３００の制御によって水素生成器１１０を介して水素を生成させ、コントローラ３００の制御を受ける循環ポンプ１２０を作動させて、連結配管２００に連結された水槽５０に水素水を供給することができるが、この際、連結配管２００を第１連結配管２１０と第２連結配管２２０の二重循環構造で製作し、第２連結配管２２０は、水槽５０と循環ポンプ１２０との間に設置された高濃度フィルター１３０を通過するようにして、高濃度フィルターで発生する高圧によって水槽水に水素を高濃度で溶解させることができる。
【００４１】
以上、本発明を好適な実施形態に基づいて説明したが、本発明の技術的思想はこれに限定されるものではない。請求の範囲に記載された範囲内で変形や変更実施が可能であることは本発明の属する技術分野における通常の知識を有する者に明らかであり、それらの変形や変更も添付された特許請求の範囲に属するといえる。
【符号の説明】
【００４２】
１０    高濃度水素水生成装置
３０    水ボトル
５０    水槽
１００    水素水供給ユニット
１１０    水素生成器
１２０    循環ポンプ
１３０    高濃度フィルター
１３２    高濃度水素水配管
２００    連結配管
２１０    第１連結配管
２２０    第２連結配管
３００    コントローラ
【図１】
2020500095.tif 000003
【図２】
2020500095.tif 000004
【図３】
2020500095.tif 000005
【図４】
2020500095.tif 000006
【国際調査報告】
2020500095.tif 000007
2020500095.tif 000008
2020500095.tif 000009
2020500095.tif 000010